(57)【要約】本発明は、統合中継機及び統合中継システムに関する。本発明による統合中継機は、上位装置から送信される信号を中継するメイン中継装置から信号を受信する統合中継機であって、前記メイン中継装置から受信した移動通信信号とイーサネット信号との多重化信号を逆多重化して前記移動通信信号と前記イーサネット信号とに分離する逆多重化部；前記逆多重化部で分離した前記移動通信信号をＲＦ（Ｒａｄｉｏ Ｆｒｅｑｕｅｎｃｙ）信号に変換して送信する第１変換部；前記逆多重化部で分離した前記イーサネット信号を無線ＬＡＮ信号に変換して送信する第２変換部；及び前記メイン中継装置から受信した信号を、前記移動通信信号の障害発生如何によって前記逆多重化部または前記第２変換部のいずれか１つに伝達するスイッチング部；を含む。
2013531913.tif 000002
【特許請求の範囲】
【請求項１】
上位装置から送信される信号を中継するメイン中継装置から信号を受信する統合中継機において、
前記メイン中継装置から受信した移動通信信号とイーサネット信号との多重化信号を逆多重化して前記移動通信信号と前記イーサネット信号とに分離する逆多重化部と、
前記逆多重化部で分離した前記移動通信信号をＲＦ信号に変換して送信する第１変換部と、
前記逆多重化部で分離した前記イーサネット信号を無線ＬＡＮ信号に変換して送信する第２変換部と、
前記メイン中継装置から受信した信号を、前記移動通信信号の障害発生如何によって前記逆多重化部または前記第２変換部のいずれか１つに伝達するスイッチング部と、を含むことを特徴とする統合中継機。
【請求項２】
前記第１変換部から送信されたＲＦ信号をフィルタリングして前記第２変換部に流れ込むことを遮断するフィルタリング部をさらに含むことを特徴とする請求項１に記載の統合中継機。
【請求項３】
前記スイッチング部は、
前記移動通信信号に障害が生じたとき、前記メイン中継装置からイーサネット信号のみを受信して前記逆多重化部を経由せずに前記第２変換部に伝達することを特徴とする請求項１に記載の統合中継機。
【請求項４】
前記メイン中継装置とは建物内に敷設されたＵＴＰケーブルで連結されることを特徴とする請求項１に記載の統合中継機。
【請求項５】
ＬＡＮコネクタに連結された前記ＵＴＰケーブルを介して前記メイン中継装置から電源の供給を受ける電源部をさらに含むことを特徴とする請求項４に記載の統合中継機。
【請求項６】
前記第１変換部と前記第２変換部との間の電磁波を遮断するための遮蔽手段をさらに含むことを特徴とする請求項１に記載の統合中継機。
【請求項７】
上位装置から受信した信号を下位装置に中継する統合中継機において、
上位装置である移動通信基地局から伝送された第１移動通信信号を受信する第１受信部と、
上位装置であるイーサネット装備からイーサネット信号を受信する第２受信部と、
前記第１受信部で受信した第１移動通信信号と前記第２受信部で受信したイーサネット信号とを多重化する第１多重化部と、
前記第１移動通信信号の障害発生如何によって前記第２受信部または前記第１多重化部のいずれか１つに選択的に連結され、前記第２受信部または前記第１多重化部の出力信号を前記下位装置に伝達するスイッチング部と、を含むことを特徴とする統合中継機。
【請求項８】
前記スイッチング部は、
前記第１移動通信信号に障害が生じたとき、前記第２受信部に連結されて前記イーサネット信号のみを前記第１多重化部を経由せずに前記下位装置に伝達することを特徴とする請求項７に記載の統合中継機。
【請求項９】
前記下位装置とは建物内に敷設されたＵＴＰケーブルで連結されることを特徴とする請求項７に記載の統合中継機。
【請求項１０】
ＬＡＮコネクタに連結された前記ＵＴＰケーブルを介して前記下位装置に電源を供給する電源供給部をさらに含むことを特徴とする請求項９に記載の統合中継機。
【請求項１１】
上位装置から第２移動通信信号を受信する第３受信部と、
前記第１受信部で受信した第１移動通信信号と前記第３受信部で受信した第２移動通信信号とを多重化する第２多重化部と、
前記第２多重化部で多重化された多重化信号を他の下位装置に送信する送信部と、をさらに含むことを特徴とする請求項７に記載の統合中継機。
【請求項１２】
通信信号の統合中継のための統合中継システムにおいて、
移動通信基地局から移動通信信号を受信し、イーサネット装備からイーサネット信号を受信し、前記移動通信信号と前記イーサネット信号とを多重化した多重化信号を伝送するメイン装置と、
前記メイン装置と連結され、前記メイン装置から伝送された前記多重化信号を逆多重化処理して移動通信信号とイーサネット信号とに分離し、その分離した移動通信信号とイーサネット信号を通信端末に送信する複数の終端装置と、を含み、
前記メイン装置は、前記移動通信信号の障害発生如何によって前記多重化信号または前記イーサネット装備から受信したイーサネット信号のいずれか１つを選択する第１スイッチング部を含み、
前記複数の終端装置は、前記移動通信信号の障害発生如何によって、前記メイン装置の前記第１スイッチング部から受信した信号を逆多重化経路を経由させるか又は経由させない第２スイッチング部を含むことを特徴とする統合中継システム。
【請求項１３】
前記複数の終端装置は、
通信端末に送信するイーサネット信号に対する移動通信信号の干渉を遮断するためのフィルタリング部を含むことを特徴とする請求項１２に記載の統合中継システム。
【請求項１４】
前記メイン中継装置と前記複数の終端装置とは建物内に敷設されたＵＴＰケーブルで連結されることを特徴とする請求項１２に記載の統合中継システム。
【請求項１５】
前記メイン中継装置は、
ＬＡＮコネクタに連結された前記ＵＴＰケーブルを介して前記終端装置に電源を供給する電源供給部を含むことを特徴とする請求項１４に記載の統合中継システム。
【発明の詳細な説明】
【技術分野】
【０００１】
本発明は、通信信号中継のための中継機に関し、より詳しくは、多様な類型の有無線通信信号を統合中継する統合中継機及び統合中継システムに関する。
【０００２】
本出願は、２０１０年５月３日出願の韓国特許出願第１０−２０１０−００４１３６１号及び第１０−２０１０−００４１３６２号に基づく優先権を主張し、該当出願の明細書及び図面に開示された内容は、すべて本出願に援用される。
【背景技術】
【０００３】
近年の電子工学及び通信工学の発展に伴い、移動通信端末は多様な機能を提供する。例えば、移動通信端末は音声通話だけでなく、インターネット接続、画像通信、及びマルチメディアメッセージ伝送などの機能を提供する。また、移動通信端末の普及が急激に増加し、人間関係で生じるコミュニケーションの相当部分が移動通信端末を通じて行われるなどと、移動通信端末は現代生活で必須の通信手段として位置付けられている。
【０００４】
また、移動通信インフラが持続的に発展し、それに関する技術開発の結果、近年は多様な種類の移動通信ネットワークが存在しており、今後はさらに多様な種類の移動通信ネットワークが出現すると予想される。現在共存している移動通信システムとしては、第３世代移動通信として分類されるＷＣＤＭＡ（Ｗｉｄｅｂａｎｄ ＣＭＤＡ）システム、及び移動中に高速インターネットサービスを利用可能なモバイルワイマックス（Ｍｏｂｉｌｅ ＷｉＭＡＸ（Ｗｏｒｌｄ Ｉｎｔｅｒｏｐｅｒａｂｉｌｉｔｙ ｆｏｒ Ｍｉｃｒｏｗａｖｅ Ａｃｃｅｓｓ））システム（例えば、ＩＥＥＥ ０８２．１６ｅ）が挙げられる。また、アクセスポイントが設置された場所を中心に一定距離内で、ノートパソコンなどを用いて超高速インターネットを利用可能な無線ＬＡＮ（ＷＬＡＮ：Ｗｉｒｅｌｅｓｓ ＬＡＮ）（例えば、Ｗｉ‐Ｆｉ）サービスが提供されている。
【０００５】
このような多様な種類の通信網を支援して接続できるようにマルチバンドマルチモード（Ｍｕｌｔｉ‐Ｂａｎｄ Ｍｕｌｔｉ‐Ｍｏｄｅ）端末が開発されている。このようなマルチバンドマルチモード端末は、複数の帯域幅に該当する通信ネットワークを全てカバーするか、方式が異なる２つ以上の通信ネットワークに接続可能な機能を備えている。すなわち、各通信ネットワークに対応する通信モデムが１つの端末内に全て備えられた形態である。
【０００６】
このように多様な種類の通信サービスが提供され、多様な種類の通信端末が普及されている環境において、通信事業者は顧客に最上品質のサービスを提供するために努めている。陰影地域を最小化するための努力が代表的である。陰影地域とは、通信信号の受信状態がよくない地域であって、このような陰影地域に基地局または中継機を追加して設けることで通信断絶を解消する。しかし、基地局は、設置コストが嵩むだけでなく、建物の地下及び駐車場などの狭い場所には設置し難い。したがって、通信事業者は陰影地域に中継機を設置し、通信サービスを提供する。
【発明の概要】
【発明が解決しようとする課題】
【０００７】
しかし、通信サービスの種類の多様化に伴って、各通信サービス毎に別の中継機を設置する場合、中継機の設置コストが増加し、無分別な中継機の設置によって建物などの美観が損なわれるという問題点がある。
【０００８】
本発明は、上記問題点に鑑みてなされたものであり、多様な類型の通信信号を統合して陰影地域に中継する統合中継機及び統合中継システムを提供することを目的とする。
【０００９】
本発明の他の目的及び長所は後述される本発明の実施例を通じて理解できるであろう。また、本発明の目的及び長所は、特許請求の範囲に記載される構成とそれらの組合せによって実現することができる。
【課題を解決するための手段】
【００１０】
上記の目的を達成するための本発明の一態様によれば、上位装置から送信される信号を中継するメイン中継装置から信号を受信する統合中継機は、前記メイン中継装置から受信した移動通信信号とイーサネット（登録商標）信号との多重化信号を逆多重化して前記移動通信信号と前記イーサネット信号とに分離する逆多重化部；前記逆多重化部で分離した前記移動通信信号をＲＦ（Ｒａｄｉｏ Ｆｒｅｑｕｅｎｃｙ）信号に変換して送信する第１変換部；前記逆多重化部で分離した前記イーサネット信号を無線ＬＡＮ信号に変換して送信する第２変換部；及び前記メイン中継装置から受信した信号を、前記移動通信信号の障害発生如何によって前記逆多重化部または前記第２変換部のいずれか１つに伝達するスイッチング部；を含む。
【００１１】
上記の目的を達成するための本発明の他の態様によれば、上位装置から受信した信号を下位装置に中継する統合中継機は、上位装置である移動通信基地局から伝送された第１移動通信信号を受信する第１受信部；上位装置であるイーサネット装備からイーサネット信号を受信する第２受信部；前記第１受信部で受信した第１移動通信信号と前記第２受信部で受信したイーサネット信号とを多重化する第１多重化部；及び前記第１移動通信信号の障害発生如何によって前記第２受信部または前記第１多重化部のいずれか１つに選択的に連結され、前記第２受信部または前記第１多重化部の出力信号を前記下位装置に伝達するスイッチング部；を含む。
【００１２】
上記の目的を達成するための本発明のさらに他の態様によれば、通信信号の統合中継のための統合中継システムは、移動通信基地局から移動通信信号を受信し、イーサネット装備からイーサネット信号を受信し、前記移動通信信号と前記イーサネット信号とを多重化した多重化信号を伝送するメイン装置；及び前記メイン装置と連結され、前記メイン装置から伝送された前記多重化信号を逆多重化処理して移動通信信号とイーサネット信号とに分離し、その分離した移動通信信号とイーサネット信号を通信端末に送信する複数の終端装置；を含み、前記メイン装置は前記移動通信信号の障害発生如何によって前記多重化信号または前記イーサネット装備から受信したイーサネット信号のいずれか１つを選択する第１スイッチング部を含み、前記複数の終端装置は、前記移動通信信号の障害発生如何によって、前記メイン装置の前記第１スイッチング部から受信した信号を逆多重化経路を経由させるか又は経由させない第２スイッチング部を含む。
【発明の効果】
【００１３】
本発明は、多様な類型の通信信号を１つの統合中継システムを介して陰影地域に中継することで、各通信サービス毎に中継システムを別途製作し設置することで発生する設置コスト及び装備製造コストを節減する効果がある。また、本発明は、１つの統合中継システムを建物などに設置することで、建物などの美観損傷を防止する効果がある。
【図面の簡単な説明】
【００１４】
【図１】本発明の一実施形態による統合中継システムを示した構成図である。
【図２】図１の統合中継システムのＵＭＵの一実施例を示した構成図である。
【図３】図１の統合中継システムのＥＲＵの一実施例を示した構成図である。
【図４】図１の統合中継システムのＥＲＵの他の実施例を示した構成図である。
【図５】図１の統合中継システムのＵＭＵの他の実施例を示した構成図である。
【図６】本発明の他の実施形態による統合中継システムを示した構成図である。
【図７】図６の統合中継システムのＵＭＵの一実施例を示した構成図である。
【図８】図６の統合中継システムのＥＨＵの一実施例を示した構成図である。
【図９】図６の統合中継システムのＥＨＵの他の実施例を示した構成図である。
【図１０】図６の統合中継システムのＵＭＵの他の実施例を示した構成図である。
【図１１】本発明のさらに他の実施形態による統合中継システムを示した構成図である。
【図１２】本発明のさらに他の実施例によるＥＲＵを示した構成図である。
【図１３】本発明のさらに他の実施形態による統合中継システムを示した構成図である。
【発明を実施するための形態】
【００１５】
上述した目的、特徴、及び長所は添付する図面に基づく以下の詳細な説明を通じて一層明らかになるはずであり、それによって本発明が属する技術分野で通常の知識を持つ者が本発明の技術的思想を容易に実施できるであろう。また、本発明の説明にあたって、本発明と係わる公知技術に対する具体的な説明が本発明の要旨を不要に曖昧にし得ると判断される場合は、その詳細な説明を省略する。以下、添付する図面に基づいて本発明による望ましい一実施形態を詳しく説明する。
【００１６】
図１は、本発明の一実施形態による統合中継システムを示した構成図である。
【００１７】
図１に示されたように、本実施形態による統合中継システムは、基地局などの上位段と連結されたＵＭＵ（ＵＴＰ Ｍａｓｔｅｒ Ｈｕｂ Ｕｎｉｔ）１００、及びＵＴＰ（Ｕｎｓｈｉｅｌｄｅｄ Ｔｗｉｓｔｅｄ Ｐａｉｒ）線路を介して ＵＭＵ１００と連結され、建物の内部に設置される終端装置である複数のＥＲＵ（Ｅｘｐａｎｓｉｏｎ Ｒｅｍｏｔｅ Ｕｎｉｔ）２００−１、…、２００−Ｎを含んで構成される。
【００１８】
ＵＭＵ１００は、統合中継システムのメイン中継装置であって、基地局からモバイルワイマックス信号（以下、ワイブロ（ＷｉＢｒｏ）信号とする）及びＷＣＤＭＡ信号をＲＦ信号で受信するか又は光中継機を介して光信号で受信する。また、ＵＭＵ１００は外部のＦＥＳ（Ｆａｓｔ Ｅｔｈｅｒｎｅｔ（登録商標） Ｓｗｉｔｃｈ）からアナログイーサネット信号を受信する。ＵＭＭ１００は受信したワイブロ信号及びＷＣＤＭＡ信号とイーサネット信号とを多重化し、それをＵＴＰ線路を介して遠隔地の複数のＥＲＵ２００−１、…、２００−Ｎに送信する。
【００１９】
また、ＵＭＵ１００は、終端装置であるＥＲＵ２００−１、…、２００−Ｎから受信したワイブロ信号及びＷＣＤＭＡ信号とイーサネット信号とが多重化された多重化信号を逆多重化処理し、それを上位段に送信する。信号を受信するときと同様に、ＵＭＭ１００はＥＲＵ２００−１、…、２００−Ｎから受信したワイブロ信号及びＷＣＤＭＡ信号はＲＦ信号で基地局に送信するか又は光中継機を介して光信号で送信することができる。
【００２０】
住居用建物は勿論、事務用ビル、公共機関の建物などの各種の建物は、建築初期にＵＴＰ線路が基本的に敷設される。特に、現代建物の自動化傾向に伴って、一般に建物はビルディングオートメーションシステムを基盤にして設計されている。このようにビルディングオートメーションシステムが適用された建物には配線システムとしてＵＴＰ線路が使用される。本発明の統合中継システムでは、このようにビルや建物に基本的に敷設されているＵＴＰ線路を用いて通信信号を中継することで、システム構築コストを節減する。
【００２１】
図２は図１の統合中継システムのＵＭＵを示した構成図であり、図３は図１の統合中継システムのＥＲＵを示した構成図であり、順方向信号の処理のための構成を示す。
【００２２】
図２を参照すれば、ＵＭＵ１００はワイブロ信号を受信するワイブロ受信部を含み、ワイブロ受信部は光電変換部１０１、ＩＦ変換部１０３、ＡＤＣ（Ａｎａｌｏｇ‐Ｄｉｇｉｔａｌ Ｃｏｎｖｅｒｔｅｒ）１０５を含む。光電変換部１０１は、光中継機及び光ケーブルを介してワイブロ基地局の信号を光信号で受信すれば、その受信した光信号をフォトダイオード（ＰＤ：Ｐｈｏｔｏ Ｄｉｏｄｅ）を介して電気的デジタル信号に変換して出力する。光電変換部１０１から出力される順方向信号は５０ＭＨｚ／１４ｂｉｔ信号である。また、ワイブロ基地局の信号は直接ＲＦ信号で受信することができ、このときＲＦ信号はＩＦ変換部１０３を通じて周波数下向変換され、ＡＤＣ１０５を通じて５０ＭＨｚ／１４ｂｉｔのデジタル信号に変換されて出力される。
【００２３】
また、ＵＭＵ１００はＷＣＤＭＡ信号を受信するＷＣＤＭＡ受信部を含み、ＷＣＤＭＡ受信部は前記ワイブロ受信部と同様に、光電変換部１０７、ＩＦ変換部１０９、ＡＤＣ１１１を含む。光電変換部１０７はＷＣＤＭＡ基地局の信号を光中継機を介して光信号で受信すれば、その受信した光信号をフォトダイオード（ＰＤ）を介して電気的デジタル信号に変換して出力する。光電変換部１０７から出力される順方向信号は５０ＭＨｚ／１４ｂｉｔ信号である。また、ＷＣＤＭＡ基地局の信号は直接ＲＦ信号で受信することができ、このときＲＦ信号はＩＦ変換部１０９を通じて周波数下向変換され、ＡＤＣ１１１を通じて５０ＭＨｚ／１４ｂｉｔデジタル信号に変換されて出力される。
【００２４】
また、ＵＭＵ１００はイーサネット信号を受信するイーサネット受信部を含み、イーサネット受信部はＰＨＹチップ（Ｐｈｙｓｉｃａｌ Ｌａｙｅｒ Ｃｈｉｐ）１１３及び送信データ変換部１１５を含む。ＰＨＹチップ１１３は外部のＦＥＳ（Ｆａｓｔ Ｅｔｈｅｒｎｅｔ Ｓｗｉｔｃｈ）から１００Ｍｂｐｓアナログイーサネット信号を受信し、この信号をデジタル信号に変換する。このとき、イーサネット信号は５０ＭＨｚのＷＣＤＭＡ信号と多重化するために５０ＭＨｚ信号に変換する過程を経る必要がある。このとき使用される信号はイーサネット物理層とイーサネットコントローラとの間のインターフェース信号のうちＲＭＩＩ（Ｒｅｄｕｃｅｄ Ｍｅｄｉａ Ｉｎｄｅｐｅｎｄｅｎｔ Ｉｎｔｅｒｆａｃｅ）信号であり、ＰＨＹチップ１１３から出力された前記ＲＭＩＩ信号は２５ＭＨｚ／１ｂｉｔ信号であって、送信データ変換部１１５で５０ＭＨｚ／２ｂｉｔ信号に変換されて多重化部１２７に出力される。
【００２５】
このように受信されたワイブロ信号、ＷＣＤＭＡ信号、イーサネット信号は多重化され、ＵＴＰ線路を介して下位段のＥＲＵ２００−１、…、２００−Ｎに送信される。以下、具体的な送信過程を図２を参照して説明する。
【００２６】
図２に示されたように、ＵＭＵ１００はワイブロ信号とＷＣＤＭＡ信号とを多重化する多重化部（ＭＵＸ）１１７、及びＷＣＤＭＡ信号とイーサネット信号とを多重化する多重化部（ＭＵＸ）１２７を含む。
【００２７】
まず、ワイブロ受信部から出力されるワイブロデジタル信号とＷＣＤＭＡ受信部から出力されるＷＣＤＭＡデジタル信号とは多重化部１１７で１つの信号に多重化される。多重化部１１７から出力される多重化信号は５０ＭＨｚ／２８ｂｉｔ信号であり、その多重化部１１７から出力された信号はフレーマ（ＦＲＡＭＥＲ）１１９でギガバイト伝送フォーマットにフレーム化処理される。このとき、ＵＴＰ線路の場合、ギガバイトを使用して１つの線路に１Ｇｂｐｓ以内のデータ伝送が可能である。したがって、データ分配部１２１は前記フレーマ１１９から出力されるフレームを２つに分け、２つのＰＨＹチップ１２３、１２５が前記データ分配部１２１で分けられたフレームをそれぞれ下位のＥＲＵ２００−２に伝送する。
【００２８】
次に、ＷＣＤＭＡ受信部から出力されるＷＣＤＭＡデジタル信号とイーサネット受信部から出力されるイーサネットデジタル信号とは多重化部１２７で１つの信号に多重化される。多重化部１２７から出力される多重化信号は５０ＭＨｚ／１６ｂｉｔ信号である。上述したように、ＷＣＤＭＡ受信部から出力される信号とイーサネット受信部から出力される信号とは、５０ＭＨｚで同期化されているため、複雑な信号変換過程なく多重化される。これにより、時間遅延の影響やロジッグの複雑性が避けられる。多重化部１２７から出力された信号はフレーマ１２９で１２５ＭＨｚ／８ｂｉｔ信号にフレーム処理され、そのフレーマ１２９から出力される信号はギガバイトＰＨＹチップ１３１を介してギガバイトイーサネット信号に変換され、下位のＥＲＵ２００−１に伝送される。
【００２９】
図３を参照すれば、図２のＵＭＵ１００で多重化されて出力された信号は、ＵＴＰ線路を介して下位のＥＲＵ２００−１、２００−２に伝送される。図３において、ＥＲＵ２００−１はＷＣＤＭＡ／ＷｉＦｉ用ＥＲＵであり、ＥＲＵ２００−２はＷＣＤＭＡ／ＷｉＢｒｏ用ＥＲＵである。
【００３０】
ＥＲＵ２００−１は、ＷＣＤＭＡ／ＷｉＦｉ用ＥＲＵであって、ＰＨＹチップ２０１、リフレーマ（ＲＥＦＲＡＭＥＲ）２０３、逆多重化部（ＤＥＭＵＸ）２０５、データ変換部２０７、ＰＨＹチップ２０９、ＡＰ（Ａｃｃｅｓｓ Ｐｏｉｎｔ）モジュール２１１、ＤＡＣ（Ｄｉｇｉｔａｌ‐Ａｎａｌｏｇ Ｃｏｎｖｅｒｔｅｒ）２１３、ＲＦ変換部２１５を含む。具体的な動作を見れば、ＵＭＵ１００から伝送されたＷＣＤＭＡ信号とイーサネット信号との多重化信号はＵＴＰ線路を介してＰＨＹチップ２０１で受信され、ＰＨＹチップ２０１で１２５ＭＨｚ／８ｂｉｔ信号にさらに変換される。ＰＨＹチップ２０１で変換された信号は、リフレーマ２０３で５０ＭＨｚ／１６ｂｉｔ信号にリフレーム処理される。さらに、リフレーマ２０３から出力された信号は逆多重化部２０５で５０ＭＨｚ／１４ｂｉｔのＷＣＤＭＡデジタル信号と５０ＭＨｚ／２ｂｉｔのイーサネットデジタル信号とに分離される。逆多重化部２０５で分離された信号のうちＷＣＤＭＡ信号は、ＤＡＣ２１３でアナログ信号に変換された後、ＲＦ変換部２１５でＲＦ信号に周波数上向変換されてユーザ端末に送信される。また、逆多重化部２０５で分離された信号のうちイーサネット信号は、データ変換部２０７で２５ＭＨｚ／１ｂｉｔの信号に変換された後、ＰＨＹチップ２０９を介してＡＰモジュール２１１に印加され、ＷｉＦｉ規格に従って無線ＬＡＮを搭載したユーザ端末に送信される。
【００３１】
また、ＥＲＵ２００−２は、ＷＣＤＭＡ／ＷｉＢｒｏ用ＥＲＵであって、２つのＰＨＹチップ２３１、２３３、データ結合部２３５、リフレーマ２３７、逆多重化部２３９、ＤＡＣ２４１、２４５、ＲＦ変換部２４３、２４７を含む。具体的な動作を見れば、ＵＭＵ１００から伝送されたＷＣＤＭＡ信号とワイブロ信号との多重化信号は、２つのＵＴＰ信号で受信され、受信されたそれぞれのＵＴＰ信号は２つのＰＨＹチップ２３１、２３３でデジタル信号に変換される。ＰＨＹチップ２３１、２３３から出力されたデジタル信号はデータ結合部２３５で１つのデジタル信号として結合され、結合されたデジタル信号はリフレーマ２３７でリフレーム処理されて出力される。リフレーマ２３７から出力された信号は、逆多重化部２３９でＷＣＤＭＡ信号とワイブロ信号とに分離され、各信号はＤＡＣ２４１、２４５でアナログ信号に変換された後、ＲＦ変換部２４３、２４７でＲＦ信号に周波数上向変換され、それぞれＷＣＤＭＡ端末及びワイブロ端末に送信される。
【００３２】
図１ないし図３を参照して説明したように、本実施例による統合中継システムは、建物内のようにＲＦ信号の受信状態がよくない陰影地域内で移動通信信号とインターネット信号とを統合中継する。従来は、建物など陰影地域内にはインターネット中継機及び移動通信中継機をそれぞれ別に設置しなければならなかったが、１つの中継機を用いて信号をユーザに送信することで、中継機製作コストを節減して中継機設置の障害を克服する。図１ないし図３を参照した実施例では、下位ＥＲＵとしてＷＣＤＭＡ／ＷｉＦｉ用ＥＲＵ２００−１とＷＣＤＭＡ／ＷｉＢｒｏ用ＥＲＵ２００−２のみを説明したが、ＷｉＢｒｏ／ＷｉＦｉ用ＥＲＵも適用することができる。このとき、ＵＭＵ１００の多重化部１２７は、ＷＣＤＭＡ信号ではなく、ワイブロ信号とイーサネット信号とを多重化してＵＴＰ線路を介して送信し、ＷｉＢｒｏ／ＷｉＦｉ用ＥＲＵはＷＣＤＭＡ／ＷｉＦｉ用ＥＲＵ２００−１と同じ構成を有する。
【００３３】
図４は図１の統合中継システムのＥＲＵの他の実施例を示した構成図であり、図５は図１の統合中継システムのＵＭＵの他の実施例を示した構成図であり、ＥＲＵ２００−１、２００−２からＵＭＵ１００に送信される逆方向信号の処理のための構成を示す。
【００３４】
図４を参照すれば、ＷＣＤＭＡ／ＷｉＦｉ用ＥＲＵ２００−１は、無線ＬＡＮを搭載したユーザ端末から無線ＬＡＮ信号を受信し、さらにＷＣＤＭＡ端末からＷＣＤＭＡ信号を受信する。無線ＬＡＮを搭載したユーザ端末から送信された無線ＬＡＮ信号はＡＰモジュール４１１で受信される。ＡＰモジュール４１１で受信された前記無線ＬＡＮ信号は１００Ｍｂｐｓイーサネット信号でＰＨＹチップ４０９に入力され、ＰＨＹチップ４０９はそのイーサネット信号をデジタル信号に変換してデータ変換部４０７に出力する。イーサネット信号はＷＣＤＭＡ信号と多重化されなければならないので、前記データ変換部４０７は前記ＰＨＹチップ４０９から出力されたデジタル信号を５０ＭＨｚ／２ｂｉｔ信号に変換して多重化部４０５に出力する。一方、ＷＣＤＭＡ端末から受信したＷＣＤＭＡ ＲＦ信号はＩＦ変換部４１５で中間周波数帯域に周波数下向変換されて出力される。中間周波数帯域に変換されたＷＣＤＭＡ信号はＡＤＣ４１３でデジタル信号に変換されて多重化部４０５に出力される。多重化部４０５は、前記データ変換部４０７から出力された５０ＭＨｚ／２ｂｉｔのイーサネット信号と前記ＡＤＣ４１３から出力された５０ＭＨｚ／１４ｂｉｔのＷＣＤＭＡ信号とを１つの信号に多重化してフレーマ４０３に出力する。多重化部４０５で多重化された信号は５０ＭＨｚ／１６ｂｉｔの信号である。フレーマ４０３は多重化信号を１２５ＭＨｚ／８ｂｉｔの信号にフレーム処理して出力する。ＰＨＹチップ４０１はフレーマ４０３の出力信号をギガバイトイーサネット信号に変換し、ＵＴＰ線路を介してＵＭＵ１００に送信する。
【００３５】
また、ＷＣＤＭＡ／ＷｉＢｒｏ用ＥＲＵ２００−２は、ＩＦ変換部４４３、４４７、ＡＤＣ４４１、４４５、多重化部４３９、フレーマ４３７、データ分配部４３５、ＰＨＹチップ４３１、４３３を含む。具体的な動作を見れば、ＷＣＤＭＡ端末から送信されたＲＦ信号はＩＦ変換部４４３で中間周波数帯域に変換される。ワイブロ端末から送信されたＲＦ信号はＩＦ変換部４４７で中間周波数帯域に変換される。ＩＦ変換部４４３、４４７から出力された中間周波数帯域の信号はＡＤＣ４４１、４４５でデジタル信号に変換される。ＡＤＣ４４１、４４５から出力されたＷＣＤＭＡデジタル信号とワイブロデジタル信号とは多重化部４３９で１つの信号に多重化される。多重化部４３９から出力された多重化信号はフレーマ４３７でギガバイト送信フォーマットにフレーム化されて出力される。フレーマ４３７から出力された信号はデータ分配部４３５で２つの信号に分配されてＰＨＹチップ４３１、４３３に出力される。ＰＨＹチップ４３１、４３３はデータ分配部４３５から出力された２つの信号をそれぞれギガバイト信号に変換してＵＴＰ線路を介してＵＭＵ１００に伝送する。
【００３６】
図５を参照すれば、ＵＭＵ１００のＷＣＤＭＡ／ＷｉＢｒｏ受信部の２つのＰＨＹチップ３２３、３２５はそれぞれＷＣＤＭＡ／ＷｉＢｒｏ用ＥＲＵ２００−２で分離して伝送された信号をＵＴＰ線路を介して受信してデジタル信号に変換し、変換されたデジタル信号をデータ結合部３２１で１つの信号に結合してリフレーマ３１９に出力する。リフレーマ３１９は前記データ結合部３２１から出力された信号をリフレーム処理して純粋データ信号を抽出し、逆多重化部３１７に出力する。逆多重化部３１７はリフレーマ３１９から出力された信号をワイブロ信号とＷＣＤＭＡ信号に逆多重化してワイブロ送信部とＷＣＤＭＡ送信部に出力する。
【００３７】
前記ワイブロ送信部の電光変換部３０１は、逆多重化部３１７から出力されたワイブロ信号をレーザーダイオード（ＬＤ：Ｌａｓｅｒ Ｄｉｏｄｅ）を用いて光信号に変換し、光ケーブルを介して光中継機に送信する。ＤＡＣ３０５は逆多重化部３１７から出力されたワイブロ信号をアナログ信号に変換する。ＲＦ変換部３０３はＤＡＣ３０５から出力されるアナログ信号をＲＦ信号に周波数上向変換してワイブロ基地局に送信する。
【００３８】
前記ＷＣＤＭＡ送信部の電光変換部３０７は、逆多重化部３１７から出力されたＷＣＤＭＡ信号をレーザーダイオードを用いて光信号に変換し、光ケーブルを介して光中継機に送信する。ＤＡＣ３１１は逆多重化部３１７から出力されたＷＣＤＭＡ信号をアナログ信号に変換する。ＲＦ変換部３０９はＤＡＣ３１１から出力されるアナログ信号をＲＦ信号に周波数上向変換してＷＣＤＭＡ基地局に送信する。
【００３９】
図５を参照すれば、ＵＭＵ１００のＷＣＤＭＡ／イーサネット受信部のＰＨＹチップ３３１はＷＣＤＭＡ／ＷｉＦｉ用ＥＲＵ２００−１から伝送された信号をＵＴＰ線路を介して受信し、それを１２５ＭＨｚ／８ｂｉｔのデジタル信号に変換する。該変換されたデジタル信号はリフレーマ３１９でリフレーム処理して純粋データ信号を抽出し、逆多重化部３２７に出力する。このとき、リフレーマ３１９の出力信号は５０ＭＨｚ／１６ｂｉｔの信号である。逆多重化部３２７はリフレーマ３１９から出力された信号を５０ＭＨｚ／１４ｂｉｔのＷＣＤＭＡ信号と５０ＭＨｚ／２ｂｉｔのイーサネット信号とに逆多重化し、ＷＣＭＡ送信部とイーサネット送信部とに出力する。ＷＣＤＭＡ送信部の送信処理は上述したようである。イーサネット送信部の受信データ変換部３１５は前記５０ＭＨｚ／２ｂｉｔのイーサネット信号を２５ＭＨｚ／１ｂｉｔの信号に変換し、ＰＨＹチップ３１３に出力する。ＰＨＹチップ３１３はイーサネット信号を上位段に送信する。
【００４０】
図６は、本発明の他の実施形態による統合中継システムを示した構成図である。
【００４１】
図１に示した統合中継システムと違って、図６に示した統合中継システムは、メイン中継装置であるＵＭＵ５００と終端装置であるＥＲＵ７００−１、…、７００−Ｎとの間にハブ中継装置であるＥＨＵ（Ｅｘｐａｎｓｉｏｎ Ｈｕｂ Ｕｎｉｔ）６００、８００をさらに含む。ＥＨＵ６００、８００はメイン中継装置であるＵＭＵ５００及び下位のＥＨＵ６００、８００と光ケーブル又はＵＴＰ線路を介して連結され、終端装置であるＥＲＵ７００−１、…、７００−ＮとはＵＴＰ線路を介して連結される。
【００４２】
例えば、アパートメントなどのような集合建物に１つのＵＭＵ５００が設置されれば、集合建物を構成する各棟または各階にはハブ中継装置であるＥＨＵ６００、８００が設置される。ＥＨＵ６００、８００はＵＭＵ５００から受信したワイブロ信号及びＷＣＤＭＡ信号とイーサネット装備から受信したイーサネット信号とを多重化し、さらに、その下位のＥＨＵに多重化信号を伝送するか又は終端装置であるＥＲＵに多重化信号を送信する。イーサネット装備（ＦＥＳ）は、ＥＨＵ６００、８００と同様に、集合建物に１つのみが設置されるのではなく、集合建物を構成する各棟又は各階に１つずつ設置されてＥＨＵ６００、８００に直接信号を送信する。
【００４３】
図７は図６の統合中継システムのＵＭＵの一実施例を示した構成図であり、図８は図６の統合中継システムのＥＨＵの一実施例を示した構成図であって、順方向信号を処理するための構成を示す。図７及び図８において、図２及び図３と同じ部材番号の構成要素は同じ動作及び機能を行うので、ここでは説明を省略する。
【００４４】
図２と比べると、図７に示された統合中継システムのＵＭＵ５００はワイブロ信号とＷＣＤＭＡ信号との多重化信号をＥＨＵ６００に送信するための送信手段であって、ＷＣＤＭＡ／ＷｉＢｒｏ送信部は、電光変換部５０１、データ分配部５０３、及びＰＨＹチップ５０５、５０７をさらに含む。電光変換部５０１は光ケーブルを介して前記多重化信号をＥＨＵ６００に送信するための手段であって、フレーマ１１９から出力された多重化信号をレーザーダイオードを用いて光信号に変換し、光ケーブルを介してＥＨＵ６００に伝送する。データ分配部５０３及びＰＨＹチップ５０５、５０７は、前記多重化信号をＵＴＰ線路を介してＥＨＵ６００に送信するための手段である。データ分配部５０３はフレーマ１１９から受信した信号を２つに分離し、各ＰＨＹチップ５０５、５０７は分離した各信号をギガバイト信号としてＵＴＰ線路を介してＥＨＵ６００に伝送する。光伝送容量は２．５Ｇｂｐｓ以上である一方、ＵＴＰ伝送容量は１Ｇｂｐｓ以内であるため、ＵＴＰ線路で信号を送信するときは、２つに分離して伝送する。
【００４５】
一方、図８を参照すれば、ＥＨＵ６００はＵＭＵ５００から伝送されたＷＣＤＭＡ信号とワイブロ信号との多重化信号を受信するためのＷＣＤＭＡ／ＷｉＢｒｏ受信部を含む。ＷＣＤＭＡ／ＷｉＢｒｏ受信部は、光電変換部６０１、リフレーマ６０３、ＰＨＹチップ６０７、６０９、データ結合部６１１を含む。光電変換部６０１は、多重化信号が光ケーブルを介して受信されると、その光信号を電気的信号に変換する。ＰＨＹチップ６０７、６０９及びデータ結合部６１１は、多重化信号がＵＴＰ線路を介して受信されるとき動作する。各ＰＨＹチップ６０７、６０９はＵＴＰ線路を介して受信された信号をデジタル信号に変換し、データ結合部６１１は変換された信号を結合してリフレーマ６０３に出力する。リフレーマ６０３は、光電変換部６０１またはデータ結合部６１１から出力された信号をリフレーム処理して純粋データ信号を抽出し、逆多重化部６０５に出力する。
【００４６】
ＥＨＵ６００の逆多重化部６０５は、リフレーマ６０３から出力された信号をワイブロ信号とＷＣＤＭＡ信号とに逆多重化した後、ワイブロ信号とＷＣＤＭＡ信号を多重化部６１３に出力すると共に、ＷＣＤＭＡ信号は他の多重化部１２７にも出力する。多重化部６１３は逆多重化部６０５から出力されたワイブロ信号とＷＣＤＭＡ信号とを再び多重化し、該多重化された信号はＵＭＵ５００と同様に下位段のフレーマ１１９、電光変換部５０１、データ分配部５０３、ＰＨＹチップ５０５、５０７を介して再び下位段のＥＨＵに伝送される。すなわち、ＥＨＵ６００のＷＣＤＭＡ／ＷｉＢｒｏ送信部は、ＵＭＵ５００のＷＣＤＭＡ／ＷｉＢｒｏ送信部と構成が同じである。このとき、下位のＥＨＵに多重化信号を再送信するため、逆多重化部６０５が不要のようにも見えるが、逆多重化部６０５でワイブロ信号とＷＣＤＭＡ信号とを逆多重化する理由は、ＥＨＵ５００から入力されるイーサネット信号と多重化されるＷＣＤＭＡ信号とを分離するためである。
【００４７】
このように、前記逆多重化部６０５で分離したＷＣＤＭＡ信号は他の多重化部１２７でイーサネット信号と多重化され、下位のＷＣＤＭＡ／ＷｉＦｉ用ＥＲＵ７００−１に伝送される。図８の下部に示されたＥＨＵ６００のイーサネット受信部及びＷＣＤＭＡ／イーサネット送信部は、図７のＵＭＵ５００のイーサネット受信部及びＷＣＤＭＡ／イーサネット送信部と同じである。一方、ＥＲＵ７００−１は図３のＷＣＤＭＡ／ＷｉＦｉ用ＥＲＵ２００−１と同じであり、ＥＲＵ７００−Ｎは図３のＷＣＤＭＡ／ＷｉＢｒｏ用ＥＲＵ２００−２と同じである。
【００４８】
付け加えれば、ＥＨＵ６００は、イーサネット信号はイーサネット装備から直接受信するが、ＷＣＤＭＡ信号及びワイブロ信号は上位装備であるＵＭＵ５００から受信する。このとき、ＵＭＵ５００はワイブロ信号とＷＣＤＭＡ信号とを多重化して伝送し、ＥＨＵ６００はその多重化信号を直ちに光ケーブルまたはＵＴＰ線路を介して下位のＥＨＵに伝送してもよいが、イーサネット装備から入力されたイーサネット信号とＷＣＤＭＡ信号とを多重化して終端装置であるＥＲＵ７００−１、…、７００−Ｎに伝送するため、ＵＭＵ５００から受信した多重化信号を逆多重化してから再び多重化する。したがって、最下位のＥＨＵの場合、それ以上下位のＥＨＵがないため、上位のＥＨＵから受信した多重化信号を逆多重化してから再び多重化する必要がなく、このとき多重化部６１３、フレーマ１１９、電光変換部５０１、データ分配部５０３、ＰＨＹチップ５０５、５０７は動作しないか又はなくてもよい。
【００４９】
図９は図６の統合中継システムのＥＨＵの他の実施例を示した構成図であり、図１０は図６の統合中継システムのＵＭＵの他の実施例を示した構成図であって、逆方向信号の処理のための構成を示す。図９及び図１０において、図４及び図５と同じ部材番号の構成要素は同じ動作及び機能を行うので、ここでは説明を省略する。
【００５０】
図９を参照すれば、ＥＨＵ６００は下位のＥＨＵまたはＷＣＤＭＡ／ＷｉＢｒｏ用ＥＲＵからＷＣＤＭＡ信号とワイブロ信号との多重化信号を受信するＷＣＤＭＡ／ＷｉＢｒｏ受信部と、ＷＣＤＭＡ／ＷｉＦｉ用ＥＲＵからＷＣＤＭＡ信号とイーサネット信号との多重化信号を受信するＷＣＤＭＡ／イーサネット受信部と、イーサネット信号をイーサネット装備に送信するイーサネット送信部と、ＷＣＤＭＡ信号とワイブロ信号との多重化信号を上位段のＵＭＵ５００に送信するＷＣＤＭＡ／ＷｉＢｒｏ送信部を含む。
【００５１】
まず、ＥＨＵ６００のＷＣＤＭＡ／ＷｉＢｒｏ受信部は、下位のＥＨＵから伝送された光信号を受信して処理する光電変換部５０１及びリフレーマ５０３を含む。また、ＥＨＵ６００のＷＣＤＭＡ／ＷｉＢｒｏ受信部は、下位のＥＨＵから伝送されたＵＴＰ信号を受信して処理するＰＨＹチップ５０７、５０９、データ結合部５１１及びリフレーマ５１３を含む。まず、下位のＥＨＵから光信号を受信すれば、前記光電変換部５０１は受信した光信号を電気的デジタル信号に変換し、前記リフレーマ５０３は変換された電気的デジタル信号をリフレーム処理して純粋データ信号を抽出する。その後、逆多重化部５０５はリフレーム処理された信号を逆多重化処理し、ワイブロ信号とＷＣＤＭＡ信号とに分離する。一方、下位のＥＨＵから２つのＵＴＰ線路を介して信号が受信されれば、２つのＰＨＹチップ５０７、５０９はそれぞれ受信した信号をデジタル信号に変換し、前記データ結合部５１１は各ＰＨＹチップ５０７、５０９の出力信号を結合して１つの信号にする。その後、リフレーマ５１３はデータ結合部５１１の出力信号をリフレーム処理して出力し、逆多重化部５１５はリフレーマ５１３の出力信号を逆多重化処理してワイブロ信号とＷＣＤＭＡ信号とに分離する。
【００５２】
ＥＨＵ６００のＷＣＤＭＡ／ＷｉＢｒｏ受信部は、下位のＷＣＤＭＡ／ＷｉＢｒｏ用ＥＲＵ７００−Ｎから信号を受信するための手段として、ＰＨＹチップ３２３、３２５、データ結合部３２１、及びリフレーマ５１７を含む。ここで、ＥＲＵ７００−Ｎは、図４のＷＣＤＭＡ／ＷｉＢｒｏ用ＥＲＵ２００−２と同じである。図５と比べると、リフレーマ５１７はデータ結合部３２１から出力された信号をリフレーム処理して逆多重化部５１９に出力する。逆多重化部５１９は、リフレーマ５１７から出力された信号を逆多重化処理してワイブロ信号とＷＣＤＭＡ信号とに分離し、ＷＣＤＭＡ加算器（ＷＣＤＭＡ ＳＵＭ）５２３とワイブロ加算器（ＷｉＢｒｏ ＳＵＭ）５２１とに出力する点で異なる。
【００５３】
一方、ＥＨＵ６００のＷＣＤＭＡ／イーサネット受信部は、図５のＷＣＤＭＡ／イーサネット受信部とその構成が同一である。ただし、本実施例において、ＷＣＤＭＡ／イーサネット受信部のリフレーマ３２９からの信号は逆多重化部３２７に出力され、逆多重化部３２７は前記リフレーマ３２９から出力された信号を逆多重化処理してＷＣＤＭＡ信号とイーサネット信号とに分離し、分離されたＷＣＤＭＡ信号はＷＣＤＭＡ加算器５２３に出力し、分離されたイーサネット信号はイーサネット送信部の受信データ変換部３１５に出力する。具体的に、逆多重化部３２７で分離されて出力された５０ＭＨｚ／２ｂｉｔのイーサネット信号は、受信データ変換部３１５で２５ＭＨｚ／１ｂｉｔの信号に変換されてＰＨＹチップ３１３に出力され、ＰＨＹチップ３１３はその信号を１００Ｍｂｐｓイーサネット信号に変換してイーサネット装備に伝送する。
【００５４】
次に、ＥＨＵ６００のＷＣＤＭＡ／ＷｉＢｒｏ送信部は下位のＥＨＵとＥＲＵ７００−１、…、７００−Ｎとから受信した信号を上位のＵＭＵ５００に送信する送信手段として、多重化部６０１、６０７、フレーマ６０３、６０９、電光変換部６０５、データ分配部６１１、ＰＨＹチップ６１３、６１５を含む。そのうち、多重化部６０１、フレーマ６０３、電光変換部６０５は光ケーブルを介して上位のＵＭＵ５００に信号を送信するための手段である。多重化部６０７、フレーマ６０９、データ分配部６１１、ＰＨＹチップ６１３、６１５はＵＴＰ線路を介して上位のＵＭＵ５００に信号を送信するための手段である。
【００５５】
具体的に説明すれば、ワイブロ加算器５２１は多重化部５０５、５１５、５１９で分離されたワイブロ信号を受信して加算し、多重化部６０１、６０７に出力する。ＷＣＭＤＡ加算器５２３は多重化部３２７、５０５、５１５、５１９で分離されたＷＣＤＭＡ信号を受信して加算し、多重化部６０１、６０７に出力する。順方向信号の処理においては、信号を下位段に送信するため加算器が不要であるが、逆方向信号の場合は下位段から同時多発的に信号が受信されることがあるため、これらの信号を集めて上位段に伝送しなければならない。したがって、加算器が必要である。
【００５６】
このように加算器５２１、５２３で信号が加算されれば、加算器５２１、５２３の信号は伝送線路に応じて選択的に多重化部６０１、６０７に出力される。光ケーブルを介して上位のＵＭＵ５００に信号を伝送する場合は多重化部６０１に出力され、ＵＴＰ線路を介して信号を伝送する場合は多重化部６０７に出力される。光ケーブル伝送の場合、多重化部６０１はワイブロ加算器５２１とＷＣＭＤＡ加算器５２３からワイブロ信号とＷＣＤＭＡ信号を受信して多重化して出力し、出力された多重化信号はフレーマ６０３でフレーム処理されて出力され、電光変換部６０５はフレーマ６０３の出力信号を光信号に変換して光ケーブルを介して上位のＵＭＵ５００に伝送する。一方、ＵＴＰ線路伝送の場合、多重化部６０７はワイブロ加算器５２１とＷＣＭＤＡ加算器５２３からワイブロ信号とＷＣＤＭＡ信号を受信して多重化して出力し、出力された多重化信号はフレーマ６０９でフレーム処理されて出力され、データ分配部６１１で２つの信号に分配される。その後、データ分配部６１１で分配された信号はＰＨＹチップ６１３、６１５で１００Ｍｂｐｓイーサネット信号に変換され、上位のＵＭＵ５００に伝送される。
【００５７】
このようにＥＨＵ６００から出力された信号は光ケーブルまたはＵＴＰ線路を介してＵＭＵ５００に伝送され、ＵＭＵ５００にＵＴＰ線路によって直接連結されたＥＲＵ２００−１、２００−２からの逆方向信号がＵＭＵ５００で受信される。図１０を参照すれば、ＵＭＵ５００は一部構成がＥＨＵ６００と同一である。ＵＭＵ５００のＷＣＤＭＡ／ＷｉＢｒｏ受信部とＥＨＵ６００のＷＣＤＭＡ／ＷｉＢｒｏ受信部とが相互同一であり、ＵＭＵ５００のＷＣＤＭＡ／イーサネット受信部とＥＨＵ６００のＷＣＤＭＡ／イーサネット受信部とが相互同一である。また、逆多重化部３２７、５０５、５１５、５１９、ＷＣＤＭＡ加算器５２３、ワイブロ加算器５２１、及びイーサネット送信部が相互同一である。ＵＭＵ５００はＥＨＵ６００のＷＣＤＭＡ／ＷｉＢｒｏ送信部を備えず、図５と同様に、ワイブロ送信部及びＷＣＤＭＡ送信部を含む。すなわち、ＥＨＵ６００は信号をＵＭＵ５００に伝送するが、ＵＭＵ５００は基地局、光中継機などに信号を送信するため、上位段と連結される部分がＥＨＵ６００と異なる。
【００５８】
具体的に、ＵＭＵ５００は、図１０に示されたように、基地局や光中継機に信号を送信するワイブロ送信部とＷＣＤＭＡ送信部を含み、ワイブロ送信部はワイブロ加算器５２１から受信した信号を電光変換して光中継機に送信するか、又はＲＦ信号に変換して基地局に送信する。同様に、ＷＣＤＭＡ送信部はＷＣＭＤＡ加算器５２３から受信した信号を電光変換して光中継機に送信するか、又はＲＦ信号に変換して基地局に送信する。また、イーサネット受信部は下位の終端装置であるＥＲＵ２００−１から受信して分離したイーサネット信号を外部イーサネット装備であるＦＥＳに送信する。
【００５９】
以上、図６ないし図１０を参照して説明した統合中継システムは、メイン中継装置であるＵＭＵ５００と終端装置であるＥＲＵ７００−１、…、７００−Ｎとの間にハブ中継装置であるＥＨＵ６００をさらに含む。ＥＨＵ６００は、メイン中継装置であるＵＭＵ５００及び下位のＥＨＵ６００、８００と光ケーブル又はＵＴＰ線路を介して連結され、終端装置であるＥＲＵ７００−１、…、７００−ＮとはＵＴＰ線路を介して連結される。したがって、大単位集合建物などのような場所で移動通信信号とインターネット信号の歪みなくサービスを提供することができ、拡張することもできる。
【００６０】
本発明による統合中継システムでは、ＷＣＤＭＡ信号またはワイブロ信号の経路に障害が生じることがある。しかし、本発明による統合中継システムはＷＣＤＭＡ信号またはワイブロ信号とインターネット信号とを多重化して中継するシステムであるため、ＷＣＤＭＡ信号またはワイブロ信号の経路に障害が生じれば、インターネットサービスまでも提供できないことがある。したがってＷＣＤＭＡ信号またはワイブロ信号の経路に障害が生じても、インターネットサービスを正常に提供できる工夫が必要である。
【００６１】
図１１は、本発明のさらに他の実施形態による統合中継システムを示した構成図であって、インターネット信号の自動切替のための統合中継システムの構成を示す。
【００６２】
図１１において、ＵＭＵまたはＥＨＵは図１ないし図１０のＵＭＵ１００、５００またはＥＨＵ６００を意味し、ＥＲＵは図１ないし図１０のＥＲＵ２００−１または７００−１を意味する。すなわち、図１１のＥＲＵはＷＣＤＭＡ／ＷｉＦｉ用ＥＲＵである。また、図１１においては、インターネット信号の自動切替のための構成のみを示し、他の構成要素は示していない。
【００６３】
図１ないし図１０を参照して説明したように、図１１を参照すれば、ＵＭＵ１００またはＥＨＵ５００は、外部のイーサネット装備であるＦＥＳから１００Ｍｂｐｓイーサネット信号を受信してデジタル信号に変換するＰＨＹチップ１１３または３１３を含み、またイーサネット信号とＷＣＤＭＡ信号との多重化信号をＥＲＵ２００−１または７００−１に伝送するためのＰＨＹチップ１３１または３３１を含む。さらに、ＥＲＵ２００−１または７００−１はＵＭＵ１００またはＥＨＵ５００から受信したＷＣＤＭＡ信号とイーサネット信号との多重化信号を受信して処理するＰＨＹチップ２０１または４０１を含み、ユーザ端末とＷｉＦｉ通信するＡＰモジュール２１１または４１１に連結されたＰＨＹチップ２０９または４０９を含む。
【００６４】
図１１に示されたように、本実施形態による統合中継システムのＵＭＵ（またはＥＨＵ）及びＥＲＵはそれぞれスイッチ７１０、７３０を含む。ＷＣＤＭＡ信号経路が正常動作する場合、各スイッチ７１０、７３０の信号経路は「Ｉ−ＩＩ」になるが、ＷＣＤＭＡ信号経路が正常動作しない場合は、各スイッチ７１０、７３０の信号経路は「Ｉ−ＩＩＩ」になる。すなわち、ＷＣＤＭＡ信号経路が正常状態の場合、ＵＭＵ（またはＥＨＵ）ではイーサネット信号とＷＣＤＭＡ信号とが多重化されてＥＲＵに伝送されるか又はその逆経路を通じて信号が送受信されるが、ＷＣＤＭＡ信号経路が非正常状態の場合、イーサネット装備（ＦＥＳ）から受信したインターネット信号は直接ＥＲＵのＡＰモジュール２１１または４１１に伝送され、ＡＰモジュール２１１または４１１を通じて受信されるユーザのインターネット信号は直接イーサネット装備（ＦＥＳ）に受信される。
【００６５】
このように、本発明による統合中継システムでＷＣＤＭＡ信号経路に障害が生じるとき、インターネット信号経路は経路切替を通じて正常に動作し、それによってインターネット障害を防止することができる。このとき、各スイッチ７１０、７３０は通信事業者の中央サーバーで制御しても良く、装備自体で手作業で動作させても良いが、その制御の方法に特別な制限はない。
【００６６】
図１２は、本発明のさらに他の実施例によるＥＲＵを示した構成図である。図１２において、図３と同じ部材番号の構成要素は同じ動作及び機能を行うので、ここでは説明を省略する。
【００６７】
図３のＥＲＵ２００−１と比べると、図１２に示されたＥＲＵ８００はフィルタリング部８１０をさらに含む。フィルタリング部８１０は、ＲＦ変換部２１５から出力されてアンテナを通じて送出されるＷＣＤＭＡ信号をフィルタリングして、ＡＰモジュール２１１に流れ込むことを遮断する。複数の通信装備があるとき、通信装備の間には一定の隔離度（Ｉｓｏｌａｔｉｏｎ）が確保されなければならない。隔離度が確保されない場合、他の通信装備から送信された信号が干渉源として作用し、通信装備の性能を悪化させる。
【００６８】
本実施例によるＥＲＵ８００は、無線ＬＡＮサービス（例えば、ＷｉＦｉ）とＷＣＤＭＡ通信サービスを同時に提供し、それによって無線ＬＡＮサービスを提供するＡＰモジュール８１０とＷＣＤＭＡ通信サービスを提供するＲＦ変換部２１５とは非常に近接して位置する。これにより、相互間に十分な隔離度が確保されず、相互の干渉源として作用するようになる。これを防止するため、図１２に示されたように、ＡＰモジュール８１０とアンテナとの間に、ＲＦ変換部２１５から出力されてアンテナを通じて送出されるＷＣＤＭＡ信号をフィルタリングするフィルタリング部８１０を設け、ＷＣＤＭＡ信号が無線ＬＡＮサービスの干渉源として作用することを防止する。フィルタリング部８１０としては、ＷＣＤＭＡ信号の周波数帯域を遮断するバンドパスフィルタ（Ｂａｎｄ‐ｐａｓｓ ｆｉｌｔｅｒ）を採用することが望ましい。
【００６９】
図示していないが、ＥＲＵ８００は無線ＬＡＮサービスを提供するコンポネント（例えば、基板、電気／電子素子など）とＷＣＤＭＡサービスを提供するコンポネントとの間に電磁波による影響を遮断するための遮蔽手段をさらに備えることができる。遮蔽手段は無線ＬＡＮサービスを提供するコンポネントとＷＣＤＭＡサービスを提供するコンポネントとの間に設けられる。遮蔽手段は伝導性物質（伝導性カーボンブラック、ニッケル、銅、鉄など）、純鉄、ケイ素鋼のうち少なくとも１つを含み、ＥＲＵ８００の接地部に連結される。
【００７０】
図１３は、本発明のさらに他の実施形態による統合中継システムを示した構成図である。図１３に示されたように、ＵＭＵ１００は電源供給部９１０を含み、ＥＲＵ２００−Ｎは電源部９３０を含む。ＵＭＵ１００の電源供給部９１０は、ＰｏＥ（Ｐｏｗｅｒ ｏｖｅｒ Ｅｔｈｅｒｎｅｔ）に基づいてＵＴＰケーブルを介してＥＲＵ２００−Ｎの電源部９３０に電源を供給する。ＰｏＥ技術とは、ＩＥＥＥ ８０２．３ａｆ標準に則して既存のＵＴＰケーブルを介して電源とデータを供給する技術である。したがって、ＥＲＵ２００−Ｎは集合建物などに設置されるとき、別の電源供給源を設ける必要がなく、ＵＭＵ１００から遠隔で電源が供給される。図１３ではＵＭＵ１００からＥＲＵ２００−Ｎに電源を供給することを説明したが、ＥＨＵ６００もＰｏＥに基づいてＥＲＵに電源を供給することができる。
【００７１】
本明細書には多くの特徴が含まれているが、それらの特徴が本発明の範囲または特許請求の範囲を制限すると解釈されてはならない。また、本明細書の個別的な実施例で説明された特徴は、単一実施例として組み合わされて具現できる。同様に、本明細書の単一実施例で説明された多様な特徴は、個別的に多様な実施例として具現されるか、適切な副結合（ｓｕｂｃｏｍｂｉｎａｔｉｏｎ）として具現できる。
【００７２】
以上のように、本発明は、本発明が属する技術分野で通常の知識を持つ者であれば、本発明の技術的思想を逸脱しない範囲内で多様に置換、変形、及び変更することができるため、上述した実施例及び添付する図面によって限定されるものではない。
【図１】
2013531913.tif 000003
【図２】
2013531913.tif 000004
【図３】
2013531913.tif 000005
【図４】
2013531913.tif 000006
【図５】
2013531913.tif 000007
【図６】
2013531913.tif 000008
【図７】
2013531913.tif 000009
【図８】
2013531913.tif 000010
【図９】
2013531913.tif 000011
【図１０】
2013531913.tif 000012
【図１１】
2013531913.tif 000013
【図１２】
2013531913.tif 000014
【図１３】
2013531913.tif 000015
【国際調査報告】
2013531913.tif 000016
2013531913.tif 000017
2013531913.tif 000018
2013531913.tif 000019